(57)【特許請求の範囲】
【請求項１】
魚釣りに用いる釣竿であって、
順次連結される複数の先細り筒状の中竿竿体と、
前記中竿竿体内部の軸方向中間部の中空に配置固定された錘とを備え、前記錘は竿体の撓りに応じて竿体と共に撓る、釣竿。
【請求項２】
前記錘はゴム部材である、請求項１に記載の釣竿。
【請求項３】
前記錘は内部に粉末材が充填された袋材である、請求項１に記載の釣竿。
【請求項４】
前記釣竿は複数の中竿竿体を順次連結して構成されており、前記錘は穂先側に位置する前記中竿竿体内に配置されている、請求項１〜３の何れかに記載の釣竿。
【発明の詳細な説明】
【０００１】
【発明の属する技術分野】
本発明は、魚釣りに用いる釣竿に関する。
【０００２】
【従来の技術】
従来の釣竿は、炭素繊維等の強化繊維に熱硬化性合成樹脂を含浸させたプリプレグを焼成してなる先細り筒状の竿体を、複数個順次連結して構成されている。個々の竿体は穂先側に位置するものほど小径であり、竿元側から穂先側にかけて徐々に小径化している。このように竿体の径を変化させることで、穂先側に位置する竿体ほど良く撓る様にして釣竿全体の撓り程度を調整している。
【０００３】
【発明が解決しようとする課題】
従来の釣竿は穂先側に位置する竿体が小径であるので、当然にして穂先側の竿体ほど軽量となる。このように穂先側の竿体が軽量化すると、いわゆる釣竿の「振り調子」が低下して狙ったポイントに仕掛けを投入し難くなる。一方で、穂先側に位置する竿体の軽量化を抑えるべく竿体を肉厚化または大径化すれば、竿体の撓り程度のバランスが損なわれることになる。
【０００４】
本発明の課題は、良好な撓り程度を担保しつつ振り調子にも優れる釣竿を提供することにある。
【０００５】
【課題を解決するための手段】
発明１にかかる釣竿は、魚釣りに用いる釣竿であって、順次連結される複数の先細り筒状の中竿竿体と、中竿竿体内部の軸方向中間部の中空に配置された錘とを備え、前記錘は竿体の撓りに応じて竿体と共に撓ることを特徴としている。この釣竿では、穂先側に連結される仕掛けから加重された場合に、先細り筒状の竿体が穂先側ほど大きく撓る様に良好な撓り程度を演出する。一方で、竿体内部の中空に配置された錘が適度な重みを演出して、釣竿の「振り調子」を向上させている。この結果、良好な撓り程度を有しつつ狙ったポイントにも容易に仕掛けを投入し易くなり釣竿の取り扱いも容易になる。
【０００６】
発明２にかかる釣竿は、発明１の釣竿であって、錘はゴム部材である。この場合には、中竿竿体内部に錘としてゴム部材が配置される。ゴム部材は自ら弾性を有しており竿体の撓りに応じて竿体内部で竿体と共に撓り、竿体の撓り程度を大きく妨げることがない。そして、竿体の良好な撓り程度を担保しつつ適度な重さを竿体に付与することで、釣竿の「振り調子」を向上させる。
【０００７】
なお、このゴム部材は、例えば、中竿竿体の所定位置の中空に合致するような円筒型部材として予め成型したものを竿体製造後に竿体端部から挿入して配置したり、加熱流動化させたゴム素材を中竿竿体の所定の位置の中空に注入して固化させてもよい。発明３にかかる釣竿は、発明１の釣竿であって、錘は内部に粉末材が充填された袋材である。
【０００８】
この場合には、中竿竿体内部に錘として袋材が配置される。袋材はその内部に粉末材が充填されており、竿体の撓りに応じて竿体内部で竿体と共に撓り、竿体の撓り程度を大きく妨げることがない。そして、竿体の良好な撓り程度を担保しつつ適度な重さを竿体に付与することで、釣竿の「振り調子」を向上させる。なお、この粉末材としては、金属粉やガラス粉，合成樹脂の粉末等周知のものを用いることが可能である。
【０００９】
発明４にかかる釣竿は、発明１〜３の何れかに記載の釣竿であって、釣竿は複数の中竿竿体を順次連結して構成されており、錘は穂先側に位置する中竿竿体内に配置されている。この場合には、釣竿全体の良好な撓り程度を担保しつつ、適度な重さを錘が穂先側の小径の中竿竿体に付与することで、釣竿の「振り調子」を向上させる。
【００１０】
【発明の実施の形態】
［第１実施形態］
以下、本発明の第１実施形態について図面を参照しつつ説明する。
本発明の第１実施形態を採用した釣竿は、図１及び図２に示すように、先細り筒状の元竿１と元竿１の穂先側に順次並継形式に連結される先細り筒状の第１中竿２及び第２中竿３と、第２中竿３の穂先側に連結される中実の穂先竿４とを有している。穂先竿４の穂先側端部には釣糸を係止するための釣糸係止部５が連結され、また、元竿１の竿元側端部にはグリップ６が配置されている。さらに、第２中竿３の内部には錘１０が配置されている（図３参照）。
【００１１】
元竿１〜第２中竿３は炭素繊維，ガラス繊維等の強化樹脂に合成樹脂を含浸させたプリプレグをマンドレルに巻回して焼成し成形して得たものであり、先端が細いテーパ状の筒状部材である。各竿体の連結部分にはそれぞれ振出形式に連結可能なように嵌合雄部と嵌合雌部とが形成される。一方、穂先竿４は中実の先細り棒状部材であり、竿元側端部に嵌合雄部４ａを有し、第２中竿３の穂先側に連結されている。これら元竿１〜穂先竿４は全体で１．５〜３．５ｍ程度の比較的短い長さとなっている。
【００１２】
グリップ６は、元竿１の竿元側端部周面に配置された部材であり、竿元側ほどやや大径になるような略円筒型部材である。例えば、所定の強化紙を接着剤と共に元竿１外周面に巻回した上にウレタン樹脂等が含浸された紐材を巻回し固化させることで形成されている。
釣糸係止具５は、図２に示すように、穂先竿４の穂先側端部に連結された毛糸状部材であり、先端に結び目等が形成されている。釣糸が係止されこの釣糸の回転と共に回転して糸絡み等を抑えている。
【００１３】
図３に示すように、第２中竿３の内部の中空１００には錘１０が配置されている。錘１０はウレタンゴムやシリコンゴム等の弾性ゴムからなる。この錘１０は第２中竿３内部の中空１００を閉塞する様に配置されている。この錘１０は、例えば、予め加熱流動化させた所定のゴム材を、第２中竿３の端部から注射状の注入部材Ｓで注入し固化させることによって任意の箇所に配置される。
【００１４】
このように構成された釣竿では、元竿１〜穂先竿４が順次穂先側ほど小径化しており、釣糸係止部５に連結される釣糸先端の仕掛け（図示せず）から加重された場合に、穂先側ほど大きく撓る様に良好な撓り程度を演出する。一方で、第２中竿３の内部の中空１００に配置された錘１０が適度な重みを演出して、釣竿の穂先側の重さを担保し、釣竿の「振り調子」を向上させている。この結果、良好な撓り程度を有しつつ狙ったポイントにも容易に仕掛けを投入し易くなり釣竿の取り扱いも容易になる。特に釣竿全体の長さが比較的短い釣竿においては有効である。
【００１５】
ここで、錘１０であるゴム部材は自ら弾性を有しており第２中竿３の撓りに応じて第２中竿３内部で第２中竿３と共に撓り、第２中竿３の撓り程度を大きく妨げることがない。そして、釣竿全体の各竿体の良好な撓り程度を担保しつつ適度な重さを第２中竿３に付与することで、釣竿の「振り調子」を向上させる。
［第２実施形態］
以下、本発明の第２実施形態について図面を参照しつつ説明する。
【００１６】
本発明の第２実施形態を採用した釣竿は、第１実施形態と同様に、先細り筒状の元竿１と元竿１の穂先側に順次並継形式に連結される先細り筒状の第１中竿２及び第２中竿３と、第２中竿３の穂先側に連結される中実の穂先竿４とを有している。そして、図４に示すように、第２中竿３の内部には錘２０が配置されている。
【００１７】
錘２０は、ポリプロピレンやポリエチレン等の合成樹脂からなる袋状の袋材２１と、袋材２１内に充填されたパウダー材２２とからなる。このパウダー材２２は、例えば、金属・ガラスを粉末状にした金属粉末・ガラス粉末や、粉末または小径ビーズ状の合成樹脂からなる。この錘２０は、例えば、成形した第２中竿３に端部から挿入され接着剤等によって固定される。
【００１８】
このように構成された釣竿では、第１実施形態と同様に、釣竿の穂先側の重さを担保し、釣竿の「振り調子」を向上させている。この結果、良好な撓り程度を有しつつ狙ったポイントにも容易に仕掛けを投入し易くなり釣竿の取り扱いも容易になる。ここで、錘２０は第２中竿３の撓りに応じて第２中竿３内部で第２中竿３と共に撓り、第２中竿３の撓り程度を大きく妨げることがない。そして、釣竿全体の各竿体の良好な撓り程度を担保しつつ適度な重さを第２中竿３に付与することで、釣竿の「振り調子」を向上させる。
【００１９】
［他の実施形態］
（ａ）図５に示すように、錘３０は第２中竿３の内部の中空１００に部分的に配置されてもよい。
（ｂ）上記実施形態においてはいわゆる「ヘラ竿」について示しているが、釣竿の種類は特に限定されるものではなく、他の周知の釣竿に本発明を適応可能である。そして、竿体の数も任意であり、穂先竿４が中実部材でなく他の竿体同様に中空の筒状部材でもよい。
【００２０】
【発明の効果】
本発明に係る釣竿は、良好な撓り程度を担保しつつ振り調子にも優れる。
【図面の簡単な説明】
【図１】本発明の第１実施形態を採用した釣竿の全体図。
【図２】図１の釣竿の穂先側付近の拡大図。
【図３】図１の第２中竿３の断面拡大図。
【図４】本発明の第２実施形態を採用した釣竿の第２中竿３の断面拡大図。
【図５】本発明の他の実施形態を採用した釣竿の第２中竿３の断面拡大図。
【符号の説明】
１  元竿
３  第２中竿
４  穂先竿
５  釣糸係止具
１０，２０，３０  錘
【図１】
0004379654.tif 000002
【図２】
0004379654.tif 000003
【図３】
0004379654.tif 000004
【図４】
0004379654.tif 000005
【図５】
0004379654.tif 000006